(57)【要約】      （修正有）【課題】ゴルファーがほとんど抵抗を感じず、また、そのゴルフティーの中には複数の挿入装置が積み重ねられ、別に埋込器具を携帯する必要のないゴルフティーを提供すること。【解決手段】ゴルフボールを置くための窪んだ頭部１１、および頭部１１の下に所定の長さ延びる円錐部１２を含む埋込装置１０と、薄いシートで作られ、前記埋込装置と連結できるように開口する円錐部３１、一対の阻止突起部３２、３３を含む少なくとも１つの積み重ねられた挿入装置３０と、埋込装置１０内に挿入され、前記挿入装置１０を下側に押圧するためのバネ２１と、その上部と下部が貫通している円筒状本体４１、前記円筒状本体４１の下側内周に形成された阻止押さえ部４２、および前記阻止押さえ部４２内に形成され前記阻止突起部３２、３３が係合する溝４４を含み、前記埋込装置１０に連結される連結装置４０とを備える。【選択図】図２
2005199048.tif 000002
【特許請求の範囲】
【請求項１】
ゴルフボールを置くために窪んだ頭部および前記頭部の下に所定の長さ延びる円錐部を含む埋込装置と、
薄いシートで作られ前記埋込装置に連結するように開口する円錐部および前記円錐部の外周上に互いに向き合うように形成された一対の阻止突起部を含む、少なくとも１つの積み重ねられた挿入装置と、
前記埋込装置内に挿入され前記挿入装置を下側に押圧するためのバネと、
前記埋込装置に連結される連結装置であって、上部と下部が貫通している円筒状本体、前記円筒状本体の下側内周に形成された阻止押さえ部、および前記阻止押さえ部内に形成され前記阻止突起部が係合する溝を含む、連結装置とを備える、ゴルフボールを置くためのゴルフティー。
【請求項２】
前記挿入装置の外周に前記阻止突起部に対して垂直になるように、且つ前記連結装置の外周で前記溝に連続的に一致するように、それぞれ表示された表示部分をさらに備える、請求項１に記載のゴルフティー。
【発明の詳細な説明】
【技術分野】
【０００１】
本発明は、ゴルフティー、より詳細には、ドライブショットを行ったときに発生する衝撃を最小限に抑えるので、ゴルファーがほとんど抵抗を感じず、そのゴルフティーの中には複数の挿入装置が積み重ねられており、埋込装置が一体化されているので別に埋込器具を携帯する必要のない、薄いシート材料製のゴルフティーに関する。
【背景技術】
【０００２】
一般にゴルフは、競技の開始地点であるティーグラウンドから開始する。その際に、ゴルファーはティーグラウンドの所定の位置にゴルフティーを埋め込み、埋め込まれたティーの上にゴルフボールを置き、ドライブショットを行う。ゴルファーがゴルフボールを打つとき、衝撃抵抗がクラブヘッドに発生し、これによってゴルファーの打球感覚が悪化し、飛距離を減少させる。したがって、ゴルフティーは抵抗の小さな薄いシートで作成すべきであることが理解できる。しかしながら、薄いシート製のゴルフティーは使用されていない。その理由は、薄いシートで作られたゴルフティーは、ゴルフティーを埋め込むときに加えられる圧力によって変形するからである。したがって、ほとんどのゴルフティーは、加えられる圧力によって変形しないように中実にした、木または軽量プラスチックで作られているので、衝撃抵抗を低減することができない。薄いシート製のゴルフティーを埋め込むための、別の埋込器具を含めることによって、薄いシート製のゴルフティーを変形させることなく埋め込むことは可能である。しかしながら、ゴルフティー以外に別の埋込器具を携帯する必要がある。
【０００３】
さらに、ゴルファーがゴルフボールを打つとき発生する衝撃抵抗は、ゴルフティーを飛散させ、または行方不明にさせる。したがって、ゴルファーは飛散したゴルフティーを集めるために不必要な努力をしなければならず、さらにゴルフティーがなくなるかも知れないため追加のゴルフティーを携帯する。
【発明の開示】
【発明が解決しようとする課題】
【０００４】
したがって、本発明はそのような問題を解決するためになされた。本発明の一目的は、ゴルフボールを打ったときゴルファーがほとんど抵抗を感じないように、衝撃を最小限に抑える薄いシート材料製のゴルフティーを提供することである。
【０００５】
本発明の別の目的は、ゴルフティーを埋め込んだとき変形することを防止するために、埋込装置と一体化したゴルフティーを提供することである。
本発明のさらに別の目的は、追加のゴルフティーを携行し、または失われたゴルフティーを取りに行くことなく、ゴルフティーを複数回使用できるように、複数の挿入装置を一度に積み重ねることができるゴルフティーを提供することである。
【課題を解決するための手段】
【０００６】
これらの目的を達成するために、ゴルフボールを置くゴルフティーは、ゴルフボールを置くための窪んだ頭部および頭部の下に所定の長さ延びる円錐部を含む埋込装置と、薄いシートで作られ前記埋込装置と連結できるように開口する円錐部および前記円錐部の外周上に互いに向き合うように形成された一対の阻止突起部（blocking protrusion）を含む少なくとも１つの積み重ねられた挿入装置と、前記埋込装置内に挿入され前記挿入装置を下側に押圧するためのバネと、その上部と下部が貫通している円筒状本体と、前記円筒状本体の下側内周に形成された阻止押さえ部（遮蔽顎、遮蔽狭窄部（blocking jaw））および前記阻止押さえ部内に形成され前記阻止突起部が係合する溝を含む、前記埋込装置に連結される連結装置とを備える。
【０００７】
本発明のこれらのかつ他の特徴、態様、および利点は、以下の説明、添付の特許請求の範囲、および添付の図面を参照することによって、よりよく理解できるであろう。図では、同一の構成部品は同一の参照番号によって参照される。
【発明を実施するための最良の形態】
【０００８】
次に、本発明の好ましい一実施形態によるゴルフティーを、添付の図面を参照して説明する。
図１は、本発明の好ましい一実施形態によるゴルフティーを示す斜視図である。図２は、本発明の好ましい実施形態によるゴルフティーを示す分解斜視図である。図３は、本発明の好ましい実施形態によるゴルフティーに、少なくとも１つの挿入装置が積み重ねられたことを示す平面図である。図４は、本発明の好ましい実施形態によるゴルフティーに、少なくとも１つの挿入装置が積み重ねられたことを示す正面図である。
【０００９】
図１および図２に示すように、本発明によるゴルフティーは、埋め込むための押圧力を発生させる埋込装置１０と、埋込装置１０の下に設けられ当該埋込装置１０に連結され地面の下に埋め込まれる少なくとも１つの積み重ねられた挿入装置３０と、埋込装置１０を挿入装置３０に連結するための連結装置４０とを含む。
【００１０】
すなわち、図１、図２に示すように、埋込装置１０はゴルフボール５０を置くための窪んだ頭部１１および頭部１１の下に所定の長さ延びる円錐部１２を含む。この時点で、円錐部１２は埋め込むことができる強度を有する中空の部分であることが好ましく、またできるだけ軽い重量を有する熱硬化性樹脂または合成樹脂によって作られていることが好ましい。
【００１１】
図１、図２に示すように、挿入装置３０は薄いシートで作られた円錐部３１からなり、埋込装置１０と連結できるように開口している。一対の阻止突起部３２、３３が互いに向き合うように挿入装置３０の外周部に形成されている。ここで、薄いシートの挿入装置３０を作るために、挿入装置３０は容易に型込めできる合成樹脂製であることが好ましく、ゴルフボール５０を支持するに十分な強度を有することが好ましい。図３、４に示すように、１つまたは複数のこのように形成された挿入装置３０を積み重ねる。阻止突起部３２、３３は積み重ねたとき、互いに交差することが好ましい。
【００１２】
一方、図１に示すように、挿入装置３０を下側に押圧するためのバネ２１およびバネ支持板２２が、埋込装置１０の下に形成される。
図１および図２に示すように、連結装置４０は、上部および下部が貫通している円筒状本体４１と、円筒状本体内の内周にある阻止押さえ部４２と、阻止突起部３２、３３と係合するように互いに向き合っている阻止押さえ部４２内の一対の溝４４と、挿入装置を積み重ねた状態で、埋込装置１０と滑らかに連結するための阻止押さえ部４３とを含む。埋込装置１０および連結装置４０は、互いに簡単に分離しないように、互いに係合していることが好ましい。
【００１３】
表示部分３５及び４５が、阻止突起部３２及び３３に対して垂直になるように挿入装置の外周の一側面に、且つ溝４４に連続的に（直列的に）一致する連結装置４０の外周の一側面にそれぞれ示されている。
【００１４】
次に、上記の構造を有するゴルフティー１が使用される状態を、添付の図面を参照して説明する。
図５は、本発明の好ましい実施形態によるゴルフティーが使用される状態を示す図である。図６は、本発明の好ましい実施形態によるゴルフティーが使用される各段階での状態を示す図である。
【００１５】
図２および図５に示すように、ゴルファーは、ゴルフボール５０をゴルフティー１の上に置いた状態でゴルフティー１を握る。ついで、ゴルファーは、挿入装置３０の表示部分３５を連結装置４０上に表示された表示部分４５と一致させる。この時点で、複数の挿入装置３０のうちの最外側に位置する挿入装置３０は、阻止突起部３２が阻止押さえ部４２から分離し下側に落ちた状態で、溝４４と一致（または係合）する。他の挿入装置３０は、阻止突起部３２および３３が互いに交差し、依然として阻止押さえ部４２によって阻止された状態で、バネ２１に接している。
【００１６】
この状態で、図６に示すように、ゴルファーがゴルフボール５０と一緒に握ったゴルフティーをティーグラウンドの所定の位置に埋め込んだ後、ゴルフボール５０および埋込装置１０を取り除くと、埋込装置１０と連結している阻止装置４０が分離され、その結果、挿入装置３０のみが地面中に埋め込まれている。
【００１７】
この状態で、挿入装置３０の上にゴルフボール５０を置いて、ティーショットをすると、薄いシートで作られ、抵抗が最小限にされている挿入装置３０は飛散しない。その結果、クラブヘッドにはいかなる抵抗も加わらない（図示せず）。
【００１８】
特に、挿入装置３０が最外側から順々に積み重ねられている場合は、挿入装置３０を何回も埋め込むことが可能である。したがって、別の埋込器具なしに、ただ１つのゴルフティー１を使用して、挿入装置３０を複数回簡単に埋め込むことができる。
【００１９】
本発明を詳細に説明してきた。しかしながら、詳細な説明および具体的な例は、本発明の好ましい実施形態を示すものの、例示の目的で示したものにすぎないことを理解されたい。本発明の趣旨および範囲内での様々な変更および改変は、この詳細な説明から当業者には明らかになるであろう。
【００２０】
上述の構造を有するゴルフティー１は、薄いシートで作られているので、衝撃を最小限にすることができ、したがって、ゴルファーはゴルフボールを打ったときにほとんど抵抗を感じない。
【００２１】
さらに、薄いシートで作られた挿入装置３０のための埋込装置１０は、ゴルフティーと一体であるので、別に埋込器具を携行する必要はなく、ゴルフティー１を容易に埋め込むことができる。
【００２２】
また、１つのゴルフティー１に複数の挿入装置３０を積み重ねることが可能であるので、追加のゴルフティーを携行することなく、ただ１つのゴルフティー１によって、挿入装置３０を複数回埋め込むことが可能である。
【図面の簡単な説明】
【００２３】
【図１】本発明の好ましい一実施形態によるゴルフティーを示す斜視図である。
【図２】本発明の好ましい実施形態によるゴルフティーを示す分解斜視図である。
【図３】本発明の好ましい実施形態によるゴルフティーに、少なくとも１つの挿入装置が積み重ねられた状態を示す平面図である。
【図４】本発明の好ましい実施形態によるゴルフティーに、少なくとも１つの挿入装置が積み重ねられた状態を示す正面図である。
【図５】本発明の好ましい実施形態によるゴルフティーが使用される状態を示す図である。
【図６】本発明の好ましい実施形態によるゴルフティーが使用される各段階での状態を示す図である。
【符号の説明】
【００２４】
１  ゴルフティー
１０  埋込装置
１１  頭部
１２  円錐部
２１  バネ
２２  バネ支持板
３０  挿入装置
３１  円錐部
３２、３３  阻止突起部
３５  表示部分
４０  連結装置
４１  連結装置本体
４２  阻止押さえ部
４３  阻止押さえ部
４４  溝
４５  表示部分
５０  ゴルフボール
【図１】
2005199048.tif 000003
【図２】
2005199048.tif 000004
【図３】
2005199048.tif 000005
【図４】
2005199048.tif 000006
【図５】
2005199048.tif 000007
【図６】
2005199048.tif 000008